(57)【要約】【課題】モールを取り外すだけで照明器具の修理、交換作業を行うことができる乗客コンベアの欄干装置の提供。【解決手段】本発明は、スカートガード２と、スカートガード２の上方に立設した欄干パネル３と、欄干パネル３とスカートガード２との間に設けられ下端がデッキベース１に固定され、側部にステップ方向に突出する突出部４ａを有する内側デッキ４と、内側デッキ４の突出部４ａの下側に設けたモール５及び照明器具７とを備えるとともに、モール５に、当該モール５をスカートガード２に固定する隠しボルト６の頭部６ａが挿入される溝部５ａを形成し、モール５と照明器具７とを、凸部５ｂ，７ｃと、これらの凸部５ｂ，７ｃに嵌合する凹部７ａ，５ｄの組み合わせから成る嵌合部を介して一体的に設けてある。【選択図】図１
2014237512.tif 000002
【特許請求の範囲】
【請求項１】
無端状に走行するステップの側方に立設され上端をデッキベースに固定したスカートガードと、前記スカートガードの上方に立設した欄干パネルと、前記欄干パネルと前記スカートガードとの間に設けられ下端が前記デッキベースに固定され、側部に前記ステップ方向に突出する突出部を有する内側デッキと、前記内側デッキの前記突出部の下側に設けたモール及び照明器具とを備えた乗客コンベアの欄干装置において、
前記モールに、当該モールを前記スカートガードに固定する隠しボルトの頭部が挿入される溝部を形成し、
前記モールと前記照明器具とを、互いに嵌合する凸部と凹部の組み合わせから成る嵌合部を介して一体的に設けたことを特徴とする乗客コンベアの欄干装置。
【請求項２】
請求項１に記載の乗客コンベアの欄干装置において、
前記内側デッキの前記突出部の側端と、前記ステップ側に位置する前記モールの端面と、前記ステップ側に位置する前記照明器具の端面とが同一鉛直面に含まれるように、これらの突出部、モール、及び照明装置を配置したことを特徴とする乗客コンベアの欄干装置。
【請求項３】
請求項１または２に記載の乗客コンベアの欄干装置において、
前記モールに、前記隠しボルトを締結する締結器具の挿入が可能な前記隠しボルトの取り付け穴を形成したことを特徴とする乗客コンベアの欄干装置。
【発明の詳細な説明】
【技術分野】
【０００１】
本発明は、デッキベースに取り付けられるスカートガード及び内側デッキと、スカートガードの上方に設けられる欄干パネルの他に、ステップ方向に突出するモールと、照明器具を備えた乗客コンベアの欄干装置に関する。
【背景技術】
【０００２】
乗客コンベアや動く歩道等の乗客コンベアは、建屋にトラスが据え付けられ、このトラスに乗客を搬送する複数のステップが無端状に組み込まれ、これらのステップの両側に欄干装置が設けられている。
【０００３】
この種の従来の乗客コンベアの欄干装置として、特許文献１に示されるものがある。この従来技術は、ステップの側部に隙間をあけて立設され、トラスに取り付けられたデッキベースに皿ねじで固定されたスカートガードと、このスカートガードを挟んでステップの反対側の位置に立設された欄干パネルと、この欄干パネルとスカートガードの間に設けられ、スカートガード側の端部がデッキベースに皿ねじで固定された内側デッキとを備えている。また、この従来技術は、スカートガードとデッキベースとを固定する皿ねじ、及び内側デッキとデッキベースとを固定する皿ねじを覆い、ステップ側に突出するモールを備えている。このモールは、当該モール内に収容される隠しボルトによりデッキベースに固定されている。
【０００４】
また、安全に関する欄干装置として従来、特許文献２に示されるものがある。この従来技術は、透光性を有する材料で形成されたモールをステップの側方に立設されたスカートガードに埋め込み、モールの裏側に設置した光源によってモールを照明するものである。
【先行技術文献】
【特許文献】
【０００５】
【特許文献１】特開２００９−２２７３５２号公報
【特許文献２】実開昭６１−１０５３８１号公報
【発明の概要】
【発明が解決しようとする課題】
【０００６】
前述した特許文献２に示される従来技術では、光源が内側デッキの裏面に取り付けられているため、光源の故障などによる修理や光源の交換作業が発生した場合、デッキベースから内側デッキとスカートガードを取り外して解体する必要がある。また、解体に際しての事前準備と、内側デッキとデッキベースとスカートガードとを復旧して再度組み立てる作業も必要であった。さらに、解体した内側デッキやスカートガードを復旧させるためには、乗客等の衣服が挟まれたり、けがをしないように、各部材間のギャップを最小にするなどの調整作業が必要であった。これらのことから、従来にあっては照明器具の修理、交換作業に多大の作業時間がかかり、作業能率の向上を見込めない問題があった。
【０００７】
本発明は、前述した従来技術における実情からなされたもので、その目的は、モールを取り外すだけで照明器具の修理、交換作業を行うことができる乗客コンベアの欄干装置を提供することにある。
【課題を解決するための手段】
【０００８】
前記目的を達成するために、本発明に係る乗客コンベアの欄干装置は、無端状に走行するステップの側方に立設され上端をデッキベースに固定したスカートガードと、前記スカートガードの上方に立設した欄干パネルと、前記欄干パネルと前記スカートガードとの間に設けられ下端が前記デッキベースに固定され、側部に前記ステップ方向に突出する突出部を有する内側デッキと、前記内側デッキの前記突出部の下側に設けたモール及び照明器具とを備えた乗客コンベアの欄干装置において、前記モールに、当該モールを前記スカートガードに固定する隠しボルトの頭部が挿入される溝部を形成し、前記モールと前記照明器具とを、互いに嵌合する凸部と凹部の組み合わせから成る嵌合部を介して一体的に設けたことを特徴としている。
【発明の効果】
【０００９】
本発明に係る乗客コンベアの欄干装置は、照明器具の修理、交換に際し、デッキベースから内側デッキとスカートガードを取り外して解体する作業、解体に際しての事前準備、及び内側デッキとデッキベースとスカートガードとを復旧して再度組み立てる作業を不要とし、モールを取り外すだけで照明器具の修理、交換作業を行うことができる。これにより本発明は、照明器具の修理、交換作業を短時間で行うことができ、従来に比べて照明器具の修理、交換作業の能率を向上させることができる。また本発明は、モールの表面に隠しボルトが露出しないので、乗客等の衣服や身体が隠しボルトに接触することがなく安全で、意匠性に優れた乗客コンベアの欄干装置を実現させることができる。
【図面の簡単な説明】
【００１０】
【図１】本発明に係る乗客コンベアの欄干装置の一実施形態を示す側面図である。
【図２】本実施形態に備えられるスカートガード、モール、隠しボルト、及び照明器具の取り付け関係を示す分解斜視図である。
【発明を実施するための形態】
【００１１】
以下、本発明に係る乗客コンベアの欄干装置の実施の形態を図面に基づいて説明する。
【００１２】
図１に示すように、本実施形態に係る乗客コンベアの欄干装置は、無端状に設けられて走行する図示しない複数のステップの側方に隙間をあけて立設され、図示しないトラスに取り付けられたデッキベース１に固定されたスカートガード２と、このスカートガード２を挟んで図示しないステップの反対側の上方に立設された欄干パネル３とを備えている。
【００１３】
また、本実施形態は、欄干パネル３とスカートガード２との間に設けられ、図示しないステップ方向に向かって傾斜し、側部にステップ方向に突出する突出部４ａを有する内側デッキ４を備えている。内側デッキ４の下部には、ステップ方向に突出するモール５が脱着可能に設けられている。
【００１４】
モール５は、図２に示すように、モール５をスカートガード２に固定する隠しボルト６の円柱形の頭部６ａをスライドさせながら挿入し係合させることが可能な溝部５ａを有している。隠しボルト６の頭部６ａには、締結器具例えば図示しない六角レンチが係合する角穴６ｂが形成されている。
【００１５】
また、モール５には、スカートガード２の上部に配設されたモール固定穴２ａの位置に対応させて、隠しボルト６の頭部６ａの直径よりも小さく、図示しない六角レンチが挿入可能な直径を有する隠しボルト６の取り付け穴５ｃを有している。また、モール５の下部５Ｅには、図２に示すように、スカートガード２側方向に突出する凸部５ｂと、この凸部５ｂの上に設けられる凹部５ｄが形成されている。
【００１６】
図２に示すように、モール５は、幅寸法Ａ１の下部５Ｅと、Ａ１よりも小さな幅寸法Ａ２に形成された上部５Ｆと、これらの下部５Ｅと上部５Ｆとを連結する連結部５Ｇとによって全体が構成されている。
【００１７】
前述した溝部５ａは、連結部５Ｇを挟んで図示しないステップの反対側に位置するように連結部５Ｇに連設させてあり、前述した取付け穴５ｃは連結部５Ｇの長手方向に沿って、この連結部５Ｇに複数形成してある。これらの取り付け穴５ｃに対応するように、スカートガード２にも複数のモール固定穴２ａを形成してある。
【００１８】
照明器具７は、アクリル樹脂などの透明または半透明の材料で全体が形成されている。この照明器具７の上部には、図１に示すように、モール５の凸部５ｂと嵌合する凹部７ａ、及びモール５の凹部５ｄと嵌合する凸部７ｃを形成してある。照明器具７の内部にはＬＥＤなどの光源７ｂが内蔵されている。
【００１９】
前述したモール５の凸部５ｂと、この凸部５ｂに嵌合する照明器具７の凹部７ａの組み合わせ、及びモール５の凹部５ｄと嵌合する照明器具７の凸部７ｃの組み合わせは、モール５と照明器具７とを一体的に形成する嵌合部を構成している。
【００２０】
ここで、図１に示す内側デッキ４の突出部４ａのスカートガード２からの突出寸法Ｃと、図２に示すモール５の下部５Ｅの幅寸法Ａ１と、照明装置７の幅寸法Ｂとは、互いに等しく設定してある。これにより、内側デッキ４の突出部４ａの側端面と、図示しないステップ側に位置するモール５の端面と、図示しないステップ側に位置する照明器具７の端面とが同一鉛直面に含まれるように配置される。
【００２１】
また、モール５及び照明器具７をスカートガード２及びデッキベース１に固定した状態にあっては、モール５の上部５Ｆの幅寸法Ａ２は下部５Ｅの幅寸法Ａ１よりも小さいことから、図１に示すように、モール５の上部５Ｆと、この上部５Ｆに対向するスカートガード２の部分との間に、内側デッキ４をデッキベース１に固定する取り付けねじ８の頭部と、モール５の上部５Ｆとが干渉しないように保つ空間部１０が形成される。
【００２２】
次に、スカートガード２にモール５と照明器具７とを固定する手順について説明する。
【００２３】
作業員は、まずモール５の凸部５ｂと照明器具７の凹部７ａを嵌合し、モール５の凹部５ｄと照明器具７の凸部７ｃを嵌合してこれらのモール５と照明器具７とを一体化する。
【００２４】
次に作業員は、モール５の溝５ａに隠しボルト６の頭部６ａを挿入し、スライドさせながら取り付け穴５ｃの位置に隠しボルト６の頭部６ａが来るように配置する。
【００２５】
次に作業員は、図示しない六角レンチを取り付け穴５ｃを介して隠しボルト６の頭部６ａの角穴６ｂに挿入し、隠しボルト６をモール固定穴２ａに挿入した上で隠しボルト６を締結し、モール５と照明器具７とをスカートガード２に固定する。
【００２６】
このように構成した本実施形態は、照明器具７の修理、交換に際し、デッキベース１から内側デッキ４とスカートガード２を取り外して解体する作業、解体に際しての事前準備、及び内側デッキ４とデッキベース１とスカートガード２とを復旧して再度組み立てる作業を不要とし、モール５の取り付け穴５ｃから六角レンチを差し込んで隠しボルト６を緩め、モール５をスカートガード２から取り外すだけで照明器具７の修理、交換作業を行うことができる。したがって本実施形態は、照明器具７の修理、交換作業を短時間で行うことができ、この照明器具７の修理、交換作業の能率を向上させることができる。
【００２７】
また、本実施形態は、照明器具７の修理、交換に際し、各隠しボルト７はモール５の溝部５ａに係合した状態に保持させることができ、隠しボルト６を再度配設する作業が不要となる。この点でも照明器具７の修理、交換作業における作業時間を低減でき、照明器具７の修理、交換作業の能率の向上に貢献する。
【００２８】
さらに本実施形態は、内側デッキ４の突出部４ａの側端と、ステップ側に位置するモール５の端面と、ステップ側に位置する照明器具７の端面とが同一鉛直面を形成することから、段差が形成されることがなく、モール５の表面に隠しボルト６の頭部６ａが露出することがない。これらのことから、乗客等の衣服や身体が段差や隠しボルト６に接触することがなく安全で、意匠性に優れた乗客コンベアの欄干装置を実現させることができる。
【符号の説明】
【００２９】
１    デッキベース
２    スカートガード
２ａ  モール固定穴
３    欄干パネル
４    内側デッキ
４ａ  突出部
５    モール
５Ｅ  下部
５Ｆ  上部
５Ｇ  連結部
５ａ  溝部
５ｂ  凸部
５ｃ  取り付け穴
５ｄ  凹部
６    隠しボルト
６ａ  頭部
６ｂ  角穴
７    照明器具
７ａ  凹部
７ｂ  光源
７ｃ  凸部
８    取り付けねじ
１０  空間部
Ａ１  幅寸法
Ｂ１  幅寸法
Ｃ    突出寸法
【図１】
2014237512.tif 000003
【図２】
2014237512.tif 000004